(57)【特許請求の範囲】
【請求項１】
袋状に形成された膜構造体と、
この膜構造体の内部に空気を送り込む送風機と、
を備える空気膜造形体において、
前記膜構造体の表面には、透明な膜体が設けられるとともに、この透明な膜体と前記膜構造体との間に、表示用の膜体が出し入れ可能に設けられ、
前記膜構造体が膨張した際に、当該膜構造体が前記透明な膜体を押して、前記膜構造体と前記透明な膜体との間で前記表示用の膜体が保持されて、前記表示用の膜体が当該空気膜造形体の一部を成す構造であり、
前記表示用の膜体は、可撓性の膜体であり、透明の台紙に文字や絵柄が設けられたものであることを特徴とする空気膜造形体。
【請求項２】
請求項１の空気膜造形体において、
前記透明な膜体は、長方形状を呈し、その長手方向に伸びる両長辺側が前記膜構造体の表面に取り付けられた後、対向する長手方向の両長辺を結ぶ方向にスリットが開けられ、このスリットを介して前記表示用の膜体が、前記透明な膜体と前記膜構造体との間に出し入れ可能に設けられた
ことを特徴とする空気膜造形体。
【請求項３】
請求項１の空気膜造形体において、
前記透明な膜体は、四角形状を呈し、その４辺のうち、３辺側が前記膜構造体の表面に取り付けられ、残りの１辺側から前記透明な膜体と前記膜構造体との間に前記表示用の膜体が出し入れ可能に設けられたことを特徴とする空気膜造形体。
【発明の詳細な説明】
【０００１】
【発明の属する技術分野】
本発明は、袋状の膜構造体内に空気圧を供給して、膜構造体を膨張させて立体的に造形する空気膜造形体に関する技術で、特に空気膜造形体による表示内容を変更可能な技術に関する。
【０００２】
【従来の技術】
空気膜造形体に文字や絵柄等を設ける従来技術として、（１）文字や絵柄等を膜構造体に書き込む、（２）文字や絵柄等を膜構造体に染め付ける、（３）文字や絵柄等を設けた表示用の膜体を膜構造体の表面に縫い付ける、（４）文字や絵柄等を設けた表示用の膜体を膜構造体の表面に貼り付ける、（５）文字や絵柄等を設けた表示用の膜体を膜構造体の表面に縛り付ける、等の技術が知られている。
【０００３】
【発明が解決しようとする課題】
上記（１）、（２）で示したように、膜構造体に文字や絵柄等を書き込んだり、染め付けたりした場合、表示内容を変更しようとすると、膜構造体自体を取り替えなければならず、コストが上昇し、容易に表示内容を変更できない不具合が生じる。
【０００４】
上記（３）で示したように、膜構造体の表面に文字や絵柄等を設けた表示用の膜体を縫い付けた場合、表示内容を変更しようとすると、縫い付けてある糸を解かなければならず、手間がかかり、容易に表示内容を変更できない不具合が生じる。
【０００５】
上記（４）で示したように、膜構造体の表面に文字や絵柄等を設けた表示用の膜体を貼り付ける技術は、表面がビニールなどの樹脂がコーティングしてある素材でないと、接着剤による接着力が弱く、表示用の膜体が剥がれ易いため、膜構造体の素材が限定される。
【０００６】
また、表示用の膜体を貼り付ける技術は、膜構造体が充分膨張した状態で張り付ける必要があり、充分膨張していない状態で張り付けると、膜構造体に皺がよって美観を損なうとともに、野外等で用いる場合では、雨水が皺から進入して表示用の膜体が剥がれる不具合が生じる。
【０００７】
さらに、表示用の膜体を貼り付ける技術は、表示内容を変更しようとして表示用の膜体を剥がすと、接着剤の一部が膜構造体側に残り、その残りの接着剤に汚れが付着し、結果的に美観を損ねる。また、剥がした表面に、次の表示用の膜体を貼ろうとした場合、汚れの付着した接着剤によって、次の表示用の膜体が貼りづらくなる。
【０００８】
上記（５）で示したように、膜構造体の表面に文字や絵柄等を設けた表示用の膜体を縛り付ける技術では、表示用の膜体の交換は容易であるが、空気圧によって膨張している膜構造体の表面に、表示用の膜体を縛り付けるので、膜構造体の表面に表示用の膜体をピッタリと一致させるのは困難で、表示用の膜体に皺ができて美観が損なわれ、見苦しくなる。また、縛り付けた部分の膜構造体にも皺ができて美観が損なわれ、見苦しくなる。
【０００９】
【発明の目的】
本発明は、上記の事情に鑑みてなされたもので、その目的は、文字や絵柄等を設けた表示用の膜体を容易に取り替えることができ、且つ美観を損なうことのない空気膜造形体の提供にある。
【００１０】
【課題を解決するための手段】
本発明の空気膜造形体は、次の技術的手段を採用した。
〔請求項１の手段〕
空気膜造形体は、袋状に形成された膜構造体と、この膜構造体の内部に空気を送り込む送風機と、を備える。
そして、前記膜構造体の表面には、透明な膜体が設けられるとともに、この透明な膜体と前記膜構造体との間に、表示用の膜体が出し入れ可能に設けられ、
前記膜構造体が膨張した際に、当該膜構造体が前記透明な膜体を押して、前記膜構造体と前記透明な膜体との間で前記表示用の膜体が保持されて、前記表示用の膜体が当該空気膜造形体の一部を成す構造であり、
さらに、前記表示用の膜体は、可撓性の膜体であり、透明の台紙に文字や絵柄が設けられたものである。
【００１１】
〔請求項２の手段〕
請求項１の空気膜造形体において、
前記透明な膜体は、長方形状を呈し、その長手方向に伸びる両長辺側が前記膜構造体の表面に取り付けられた後、対向する長手方向の両長辺を結ぶ方向にスリットが開けられ、このスリットを介して前記表示用の膜体が、前記透明な膜体と前記膜構造体との間に出し入れ可能に設けられたことを特徴とする。
【００１２】
〔請求項３の手段〕
請求項１の空気膜造形体において、
前記透明な膜体は、四角形状を呈し、その４辺のうち、３辺側が前記膜構造体の表面に取り付けられ、残りの１辺側から前記透明な膜体と前記膜構造体との間に前記表示用の膜体が出し入れ可能に設けられたことを特徴とする。
【００１３】
【発明の作用および効果】
〔請求項１の作用〕
透明な膜体と膜構造体との間に、表示用の膜体が入れられた状態で、送風機によって膜構造体内に空気が送り込まれると、送り込まれた空気によって膜構造体が膨張して立体的に造形される。この時、膨張する膜構造体に、表示用の膜体および透明な膜体が押され、膨張した膜構造体の表面に、表示用の膜体および透明な膜体が、ほぼピッタリと一致する。そして、表示用の膜体は、透明な膜体を介して、立体造形された膜構造体を見る者に視覚表示される。
【００１４】
表示用の膜体を交換する場合は、膜構造体が立体造形されていない状態において、透明な膜体と膜構造体との間から、入っていた表示用の膜体を抜き出し、次に表示しようとする表示用の膜体を透明な膜体と膜構造体との間に入れる。以上の作業で交換が完了する。
【００１５】
〔請求項１の効果〕
上記で示したように、透明な膜体と膜構造体との間に、表示用の膜体を出し入れするのみで、表示用の膜体の交換が容易にできる。また、表示用の膜体の交換に要するコストを大変低く抑えることができる。
【００１６】
膨張する膜構造体に、表示用の膜体および透明な膜体が押されて、表示用の膜体が膜構造体と透明な膜体との間で保持される構造であるため、膜構造体に用いられる膜の素材を問わない。また、野外等で用いられても、雨水によって膜体が剥がれる不具合も生じない。
さらに、表示用の膜体および透明な膜体が、膜構造体の表面に、ほぼピッタリと一致するため、立体造形された膜構造体の美観が優れる。
表示用の膜体に少量の皺が発生する場合もあるが、透明な台紙を用いることにより、皺はほとんど目立たず、美観を損ねない。
【００１７】
〔請求項２の作用および効果〕
透明な膜体を長方形状に設け、その長手方向に伸びる両辺側を膜構造体の表面に取り付け、その後、対向する長手方向の両辺を結ぶ方向にスリットを開け、このスリットを介して表示用の膜体を出し入れ可能に設けたため、複数の文字等を一方向（例えば、横方向、縦方向）に並べて表示するための透明な膜体を、簡単に膜構造体に設けることができる。また、スリットが設けられているため、長手方向の途中の透明な膜体内にも、容易に表示用の膜体を出し入れできる。
【００１８】
〔請求項３の作用および効果〕
四角形状を呈する透明な膜体の４辺のうち、３辺側が膜構造体の表面に取り付けられてポケット状に設けられ、残りの１辺側から表示用の膜体が出し入れされる。このような簡単な構造でも、請求項１の効果を得ることができる。
【００１９】
【発明の実施の形態】
次に、本発明の空気膜造形体を、図に示す実施例に基づき説明する。
〔実施例の構成〕
図１ないし図３は本発明を採用した実施例を示すもので、図１は膜構造体が空気圧によって立体造形された空気膜造形体の概略構成図である。
【００２０】
空気膜造形体１は、袋状に形成された膜構造体２と、この膜構造体２の内部に空気を送り込むための送風機３とを備えるともに、膜構造体２の表面には、透明な膜体４が設けられるとともに、この透明な膜体４と膜構造体２との間には、表示用の膜体５が出し入れ可能に配置されたもので、以下順次説明する。
【００２１】
膜構造体２は、ナイロン繊維、ポリエステル繊維など樹脂繊維による柔軟な薄布を、膨張した際に所定の立体造形を成すように袋状に縫製されたもので、前記薄布の表面は、樹脂コーティングがなされたものであっても良いし、樹脂コーティングがなされていないものでも良い。
【００２２】
この膜構造体２は、送風機３から内部に空気の供給を受けると、内部の空気圧が上昇し、膜構造体２が膨張して立体的な造形を成す。また、膜構造体２の内圧が上昇すると、縫目が広がり、余分な空気は広がった縫目から外へ漏れ出る。このため、送風機３から膜構造体２内に空気を送り続けることで、膜構造体２が膨張することと、余剰空気が外部に漏れ出ることとが釣り合って、膜構造体２が所定の立体造形を維持する。
【００２３】
なお、本実施例の膜構造体２は、下部に重り等が入れられるとともに、ワイヤで傾きが抑えられた地上設置タイプを示すが、上部からワイヤ等で釣られる吊り下げ設置タイプや、壁や梁の側面に取り付けられる横掛け設置タイプであっても良い。
また、この例では、縫目のできる縫製で膜構造体２を袋状に設けた例を示したが、高周波圧着など、薄布を溶着技術で接合し、袋状に設けても良い。このように縫目ができない場合は、膜構造体２の一か所以上に、内部空気を外部へ逃がすリリーフ手段を付けても良い。
【００２４】
送風機３は、膜構造体２の内部に加圧空気を供給して、膜構造体２を膨張させるのに必要な送風能力を有する周知なもので、例えば商用電力や内燃式発電機などから電力の供給を受けて作動する電動式送風機が一般に用いられる。
なお、送風機３の配置場所は、本実施例では一例として膜構造体２の内部に配置した例を示すが、送風機３を膜構造体２の外部に配置するなど、配置場所は限定されるものではない。
【００２５】
透明な膜体４は、透明ビニールシートなど、透明で可撓性を有する膜体で、次の２つの作業によって、膜構造体２の表面に設けられている。
まず、一方向に長い長方形状を呈した透明な膜体４の両長辺４ａ、４ｂ（上下辺）を、それぞれ膜構造体２に縫い付ける。この場合、両短辺４ｃ、４ｄは縫い付けない。
次に、両長辺４ａ、４ｂを結ぶ方向に、１つまたは複数のスリット４ｅを開ける。このスリット４ｅは、表示用の膜体５が容易に出し入れ可能な長さや間隔であれば良く、長方形状の透明な膜体４をほぼ等間隔に分割するように開けられる。
なお、この実施例では、透明な膜体４の長手方向を、横方向に配置する例を示したが、縦方向や、斜め方向など、他の方向に配置しても良い。
【００２６】
また、膜構造体２が膨張した際に、膜構造体２が透明な膜体４を押すように、この実施例では、透明な膜体４は膜構造体２を構成する薄布よりも膨張率が小さく設けられる。このように設けることにより、膜構造体２が空気圧で膨張すると、透明な膜体４よりも膜構造体２が膨張しようとして、結果的に膜構造体２が透明な膜体４を押すように設けられる。
【００２７】
なお、透明な膜体４の膨張率が、膜構造体２を構成する薄布の膨張率と同じか、大きい場合は、縫製間における薄布の長さを、透明な膜体４の長さよりも長く設けることでも、膜構造体２が膨張した際に、膜構造体２が透明な膜体４を押すようにできる。
【００２８】
表示用の膜体５は、透明な台紙の表面に文字や絵柄等が描かれた可撓性の膜体で、この実施例では、矩形を呈する透明ビニール製の台紙に、カッティングシートを貼った例を示す。この表示用の膜体５は、透明な膜体４の左右の両短辺４ｃ、４ｄ、あるいはスリット４ｅから、透明な膜体４と膜構造体２との間に出し入れされる。
なお、この実施例では、文字や絵柄毎に分割された表示用の膜体５を透明な膜体４内に差し込む例を示すが、文字や絵柄が連なった帯状の表示用の膜体５を透明な膜体４内に差し込んでも良い。
【００２９】
〔実施例の作動〕
本実施例の空気膜造形体１の組付けの一例を示す。
膜構造体２が空気圧によって立体造形されていない状態において、まず、表示用の膜体５を、透明な膜体４の左右短辺４ｃ、４ｄ、あるいはスリット４ｅから、透明な膜体４と膜構造体２との間に差し込む。
次に、表示用の膜体５（カッティングシートが貼られた透明な台紙）の裏面より、その４隅に透明なテープ５ａを貼り（図２参照）、表示用の膜体５を透明な膜体４の裏面に仮止めする。
【００３０】
この状態で、送風機３を作動させ、膜構造体２の内部に加圧空気を供給すると、空気圧で膜構造体２が膨張し、所定の立体形状に造形される。このように、膜構造体２が膨張すると、膨張する膜構造体２に表示用の膜体５と透明な膜体４が押され、膨張した膜構造体２の表面に、表示用の膜体５および透明な膜体４が、ほぼピッタリと一致する（図３参照）。表示用の膜体５は、透明なテープ５ａで仮止めされるとともに、膜構造体２と透明な膜体４との両側から押し付けられるため、表示用の膜体５がズレることがない。なお、膨張率の違い等から、表示用の膜体５に少量の皺が発生する場合もあるが、透明な台紙を用いることにより、皺はほとんど目立たず、美観を損ねることはない。そして、表示用の膜体５は、透明な膜体４を介して、立体造形された膜構造体２を見る者に視覚表示される。
【００３１】
表示用の膜体５を交換する場合は、膜構造体２が立体造形されていない状態において、透明な膜体４の左右短辺４ｃ、４ｄ、あるいはスリット４ｅから、入っていた表示用の膜体５を抜き出し、次に表示しようとする表示用の膜体５を、上記と同じ作業で表示用の膜体５を透明な膜体４の裏面に仮止めし、交換が完了する。
【００３２】
〔実施例の効果〕
本実施例の空気膜造形体１は、上記の作用で示したように、透明な膜体４と膜構造体２との間に、表示用の膜体５を出し入れするのみで、表示用の膜体５の交換が容易に行える。また、表示用の膜体５の交換に要するコストを大変低く抑えることができ、広告やイベント等に用いられる空気膜造形体１を安価に提供できる。
【００３３】
膨張する膜構造体２に、表示用の膜体５および透明な膜体４が押されて、表示用の膜体５が膜構造体２と透明な膜体４との間で保持される構造であるため、膜構造体２に用いられる薄膜の素材を問わない。
また、野外等で用いられても、雨水によって膜体が剥がれる不具合も生じない。
さらに、表示用の膜体５および透明な膜体４が、膜構造体２の表面に、ほぼピッタリと一致するため、立体造形された膜構造体２の美観が優れる。
【００３４】
〔変形例〕
上記の実施例では、透明な膜体４の一例として、一方向に長い長方形状を呈したものを、スリット４ｅを開けて用いた例を示したが、略四角形状の透明な膜体４を用い、その４辺のうち、３辺を縫製や溶着技術で膜構造体２に取付け、残りの１辺側から表示用の膜体５を、透明な膜体４と膜構造体２との間に出し入れするように設けても良い。なお、残りの１辺は、全て開口させても良いし、一部縫い付けても良いし、開閉可能に設けても良い。
【００３５】
上記の実施例では、透明な膜体４を縫製によって膜構造体２に設けた例を示したが、溶着技術によって透明な膜体４を膜構造体２に設けても良い。
【図面の簡単な説明】
【図１】空気膜造形体の概略構成図である。
【図２】表示用の膜体の取付を示す説明図である。
【図３】表示用の膜体の保持構造を示す説明図である。
【符号の説明】
１    空気膜造形体
２    膜構造体
３    送風機
４    透明な膜体
４ａ、４ｂ  長辺
４ｃ、４ｄ  短辺
４ｅ  スリット
５    表示用の膜体
【図１】
0003816139.tif 000002
【図２】
0003816139.tif 000003
【図３】
0003816139.tif 000004